(57)【要約】      （修正有）【課題】内部の構造がシンプルであり、装置故障率を顕著に低減させることができ、生産コスト及び運営コストがいずれも低い商品販売装置を提供する。【解決手段】商品販売装置は、商品収納室、反転排出装置、スプリング攪拌装置、及び排出口を備える。ここで商品収納室は商品販売装置の上方に位置し、商品収納室の出口には排出口に連通する反転排出装置が設置され、スプリング攪拌装置は反転排出装置に連動している。反転排出装置を設置することによって１つのカプセルトイの送り出しを実現し、構造がシンプルであり、商品販売装置の製造コストを大幅に低減させると同時に、装置の故障率が低い。また、カプセルトイのスプリング攪拌装置を設置することにより商品収納室における商品を連続的に撹拌することで、排出時商品の詰まりを発生する現象を効果的に防止し、排出時カプセルトイがランダムに排出されるような視覚効果を消費者に与える。【選択図】図６
2020184293.tif 000002
【特許請求の範囲】
【請求項１】
商品販売装置であって、
商品収納室、反転排出装置、スプリング攪拌装置、及び排出口を備え、
商品収納室は、商品販売装置の上方に位置し、商品収納室の出口には、排出口に連通する反転排出装置が設置され、
スプリング攪拌装置は、撹拌端が商品収納室内に位置し、且つ、スプリング攪拌装置は、反転排出装置に連動することを特徴とする商品販売装置。
【請求項２】
入り口が商品収納室に連通し、出口が反転排出装置を介して排出口に連通するスパイラル搬送装置をさらに備えることを特徴とする請求項１に記載の商品販売装置。
【請求項３】
反転排出装置は、排出回転軸及び排出ポケットを備え、
排出ポケットの両端は、それぞれ排出回転軸を介してスパイラル搬送装置の出口側壁に回転可能に接続され、
排出ポケットは、回転してスパイラル式排出装置の出口を閉鎖して商品を収容し、又は、排出ポケットは、回転してスパイラル式排出装置の出口を閉鎖して商品を排出することを特徴とする請求項１又は２に記載の商品販売装置。
【請求項４】
スプリング攪拌装置は、撹拌軸及び複数の撹拌スプリングを備え、
撹拌軸は、スパイラル搬送装置を垂直に回転可能に貫通し、且つ撹拌軸の第１端は、商品収納室の下端の中央部に位置し、
複数の撹拌スプリングの第１端は、回り込むように撹拌軸の第１端に接続され、複数の撹拌スプリングの第２端は、商品収納室内に水平又は上向きに斜めして延びており、
撹拌軸の第２端と排出ポケットの内側の排出回転軸とは、傘歯車を介して駆動接続されることを特徴とする請求項３に記載の商品販売装置。
【請求項５】
排出ポケットの外側の排出回転軸の端部は、ノブ装置に接続され、排出ポケットの内側の排出回転軸の端部は、撹拌軸の第２端に接続されることを特徴とする請求項４に記載の商品販売装置。
【請求項６】
スパイラル搬送装置は、被覆筒体及びスパイラル搬送エレベータを備え、
被覆筒体は、スパイラル搬送エレベータを被覆してスパイラル搬送通路を構成し、
被覆筒体の頂端は、商品収納室に連通するように開放していることを特徴とする請求項２に記載の商品販売装置。
【請求項７】
被覆筒体の頂端の縁部は、外へ折られて水平に延設してフランジを形成し、且つ、フランジは、商品販売装置のハウジングの内側壁に延びて商品収納室の底端を閉鎖することを特徴とする請求項６に記載の商品販売装置。
【請求項８】
被覆筒体の頂端とフランジとの接合部には、テーパ斜面が形成されることを特徴とする請求項７に記載の商品販売装置。
【請求項９】
被覆筒体の頂端には、テーパバッフルが接続され、テーパバッフルの底端は、被覆筒体の頂端に連通することを特徴とする請求項６に記載の商品販売装置。
【請求項１０】
排出口の終端には、ドアシルが設置されることを特徴とする請求項１に記載の商品販売装置。
【請求項１１】
商品販売装置が販売する商品は、球状、卵状、又は楕円状であることを特徴とする請求項１に記載の商品販売装置。
【請求項１２】
ノブ装置は、上下に設置された噛合歯車を介して排出ポケットの外側の排出回転軸の端部に接続されることを特徴とする請求項５に記載の商品販売装置。
【請求項１３】
ノブ装置には、第１突合せ盤が取り付けられ、排出ポケットの外側の排出回転軸の端部には、第２突合せ盤が取り付けられ、
第１突合せ盤の第２突合せ盤に向かっている端面には、接続リブが設置され、
第２突合せ盤の第１突合せ盤に向かっている端面には、接続凹溝が設置され、
接続リブが接続凹溝に嵌め込まれて第１突合せ盤と第２突合せ盤が接続されることを特徴とする請求項５に記載の商品販売装置。
【発明の詳細な説明】
【技術分野】
【０００１】
本発明は、商品売買装置の技術分野に関し、特に商品販売装置に関する。
【背景技術】
【０００２】
生活水準の向上に伴い、例えば現在人気のあるカプセルトイカプセルトイ販売機等の商品販売装置は、主要なショッピングモール及び大通りや横丁まで普及している。
【０００３】
現在、市場で人気のあるのは、外国ブランドのカプセルトイ販売機である。コイン投入口からコインを投入し、ポイントの数を識別して確認した後、フックを引き戻し、レバーの回転を可能にし、レバーに接続される搬送レバーが後壁の歯車と順次噛み合って回転し、上方のカプセルトイホイールを回転駆動し、次に、横方向の伸縮スプリングで下方へ押すことで、カプセルトイがランダムにホイールの孔から排出されて取出室に入り、同時に３本の垂直な伸縮スプリングを組み合わせ、残りのカプセルトイを孔内に落下させずにキャビティにおいて回転させ続ける。このように、レバーを回転するごとに１つのみのカプセルトイを落下させる。
【０００４】
前記のとおり、従来のカプセルトイ販売機は、その内部の伝動構造が非常に複雑であり、多くの歯車を長期間に使用するため、摩耗や噛み合いの不良を非常に引き起こしやすく、カプセルトイ販売機の機器故障のリスクが高くなり、また、機器故障のため付加的なメンテナンスコストが増加し、生産コスト及び運営コストがいずれも高い。従って、従来の商品販売装置の構造を改良する必要がある。
【発明の概要】
【発明が解決しようとする課題】
【０００５】
本発明の目的は、内部の構造がシンプルであり、装置故障率を顕著に低減させることができ、生産コスト及び運営コストがいずれも低い商品販売装置を提供することである。
【課題を解決するための手段】
【０００６】
上記目的を実現するために、本発明に係る商品販売装置は、商品収納室、反転排出装置、スプリング攪拌装置、及び排出口を備え、商品収納室は、商品販売装置の上方に位置し、商品収納室の出口には、排出口に連通する反転排出装置が設置され、スプリング攪拌装置は、撹拌端が商品収納室内に位置し、且つ、スプリング攪拌装置は、反転排出装置に連動することを特徴とする。
【０００７】
さらに、商品販売装置は、入り口が商品収納室に連通し、出口が反転排出装置を介して排出口に連通するスパイラル搬送装置をさらに備える。
【０００８】
さらに、反転排出装置は、排出回転軸及び排出ポケットを備え、排出ポケットの両端は、それぞれ排出回転軸を介してスパイラル搬送装置の出口側壁に回転可能に接続され、排出ポケットは、回転してスパイラル式排出装置の出口を閉鎖して商品を収容し、又は、排出ポケットは、回転してスパイラル式排出装置の出口を閉鎖して商品を排出する。
【０００９】
さらに、スプリング攪拌装置は、撹拌軸及び複数の撹拌スプリングを備え、撹拌軸は、スパイラル搬送装置を垂直に回転可能に貫通し、且つ撹拌軸の第１端は、商品収納室の下端の中央部に位置し、複数の撹拌スプリングの第１端は、回り込むように撹拌軸の第１端に接続され、複数の撹拌スプリングの第２端は、商品収納室内に水平又は上向きに傾斜して延びており、撹拌軸の第２端と排出ポケットの内側の排出回転軸とは、傘歯車を介して駆動接続される。
【００１０】
さらに、排出ポケットの外側の排出回転軸の端部は、ノブ装置に接続され、排出ポケットの内側の排出回転軸の端部は、撹拌軸の第２端に接続される。
【００１１】
さらに、スパイラル搬送装置は、被覆筒体及びスパイラル搬送エレベータを備え、被覆筒体は、スパイラル搬送エレベータを被覆してスパイラル搬送通路を構成し、被覆筒体の頂端は、商品収納室に連通するように開放している。
【００１２】
さらに、被覆筒体の頂端の縁部は、外へ折られて水平に延設してフランジを形成し、且つ、フランジは、商品販売装置のハウジングの内側壁に延びて商品収納室の底端を閉鎖する。
【００１３】
さらに、被覆筒体の頂端とフランジとの接合部には、テーパ斜面が形成される。
【００１４】
さらに、被覆筒体の頂端には、テーパバッフルが接続され、テーパバッフルの底端は、被覆筒体の頂端に連通する。
【００１５】
さらに、排出口の終端には、ドアシルが設置される。
【００１６】
さらに、商品販売装置が販売する商品は、球状、卵状、又は楕円状である。
【００１７】
さらに、ノブ装置は、上下に設置された噛合歯車を介して排出ポケットの外側の排出回転軸の端部に接続される。
【００１８】
さらに、ノブ装置には、第１突合せ盤が取り付けられ、排出ポケットの外側の排出回転軸の端部には、第２突合せ盤が取り付けられ、第１突合せ盤の第２突合せ盤に向かっている端面には、接続リブが設置され、第２突合せ盤の第１突合せ盤に向かっている端面には、接続凹溝が設置され、接続リブが接続凹溝内に嵌め込まれて第１突合せ盤と第２突合せ盤が接続される。
【発明の効果】
【００１９】
本発明の商品販売装置は、以下の有益な効果を有する。
【００２０】
１、本発明の商品販売装置は、反転排出装置を設置することによって１つのカプセルトイの送り出しを実現し、構造がシンプルであり、商品販売装置の製造コストを大幅に低減させると同時に、装置の故障率が低く、また、カプセルトイのスプリング攪拌装置を設置することにより商品収納室内の商品を連続的に撹拌し、排出時商品の詰まりを発生する現象を効果的に防止し、且つカプセルトイのスプリング攪拌装置が反転排出装置に連動し、排出時カプセルトイがランダムに排出されるような視覚効果を消費者に与える。
【００２１】
２、本発明の商品販売装置は、その内部のスパイラル搬送装置と反転排出装置の設置及びスプリング攪拌装置と反転排出装置との連動により、商品販売装置の内部の構造を簡略化させ、さらに商品販売装置の装置故障率を顕著に低減させ、且つ、生産コスト及び運営コストがいずれも低くなる。
【００２２】
３、本発明の商品販売装置では、反転排出装置は、排出回転軸及び排出ポケットを備え、排出ポケットがスパイラル搬送装置の出口の閉鎖を実現する一方、商品を１つずつ送り出すことを実現し、構造がシンプルで工夫が凝らされており、実用性が高い。
【００２３】
４、本発明の商品販売装置では、スプリング攪拌装置は、撹拌軸及び複数の撹拌スプリングを備え、撹拌スプリングが商品収納室内の商品を撹拌することにより、商品が自身の重力の作用でスパイラル搬送装置に入る時に詰まりを発生する現象を効果的に回避できる一方、商品がランダムに排出されるような視覚効果を購入者に与えることができ、また、スプリング攪拌装置撹拌軸と反転排出装置の排出回転軸とは、傘歯車を介して接続され、それにより反転排出装置とスプリング攪拌装置との間の連動が実現される。
【００２４】
５、本発明の商品販売装置では、スパイラル搬送装置は、被覆筒体及びスパイラル搬送エレベータを備え、被覆筒体は、スパイラル搬送エレベータを被覆してスパイラル搬送通路を構成し、商品が自身の重力の作用でスパイラル搬送通路に沿って商品収納室から反転排出装置の排出ポケット内に移動することにより、商品が連続的に搬送され、また、スパイラル搬送通路の孔径及び排出ポケットの大きさの設計により、付加的な動力源を必要とせずに、複数の商品を順次搬送すること、及び１つずつ送り出すことを容易に実現でき、運営コストが低くなる。
【００２５】
６、本発明の商品販売装置では、被覆筒体の頂端には、テーパバッフルが接続されることで、テーパバッフルによって商品収納室内の商品が被覆筒体の頂端に集中して連続的にスパイラル搬送装置に入ることを実現する。
【００２６】
７、本発明の商品販売装置では、排出口の終端には、ドアシルが設置され、それにより商品が排出口から転がり出す時の直接落下を防止し、すなわち、ドアシルは、バリアの作用を果たす。
【図面の簡単な説明】
【００２７】
本発明の実施例又は従来技術における技術的解決手段をより明瞭に説明するために、以下、実施例又は従来技術の説明に必要な図面について簡単に説明するが、明らかなように、以下の説明における図面は、本発明に係る実施例の一部に過ぎず、当業者であれば、創造的な努力を必要とせずに、これら図面に基づいてほかの図面を想到しうる。
【図１】本発明の商品販売装置の内部構造の模式図（１）である。
【図２】本発明の商品販売装置の内部構造の模式図（２）である。
【図３】本発明の商品販売装置の反転排出装置及びスプリング攪拌装置の構造模式図（１）である。
【図４】本発明の商品販売装置の第１突合せ盤の構造模式図である。
【図５】本発明の商品販売装置の第２突合せ盤の構造模式図である。
【図６】本発明の商品販売装置の内部構造の模式図（３）である。
【図７】本発明の商品販売装置のスパイラル搬送装置の構造模式図である。
【図８】本発明の商品販売装置のスパイラル搬送装置の内部構造の模式図である。
【図９】本発明の商品販売装置の反転排出装置及びスプリング攪拌装置の構造模式図（２）である。
【図１０】本発明の商品販売装置のスプリング攪拌装置の局所拡大構造の模式図である。
【図１１】本発明の商品販売装置の全体的な外観の構造模式図である。
【発明を実施するための形態】
【００２８】
以下、本発明における図面を参照しながら、本発明の実施例における技術的解決手段を明瞭かつ完全に説明するが、勿論、説明される実施例は、本発明の実施例の一部に過ぎず、すべての実施例ではない。当業者が本発明における実施例に基づいて創造的な努力を必要とせずに想到し得る他の実施例は、すべて本発明の保護範囲に属する。
【００２９】
図１、図２、図３に示すように、本発明の実施例に係る商品販売装置が示されており、本発明に係る商品販売装置は、商品収納室１、反転排出装置３、スプリング攪拌装置４、及び排出口５を備える。ここで、商品収納室１は、商品販売装置の上方に位置し、商品収納室１の出口には、排出口５に連通する反転排出装置３が設置され、スプリング攪拌装置４の撹拌端は、商品収納室１内に位置し、且つ、スプリング攪拌装置４が反転排出装置３に連動する。
【００３０】
図６、図１１に示すように、本発明の実施例に係る別の商品販売装置は、商品収納室１、スパイラル搬送装置２、反転排出装置３、スプリング攪拌装置４、及び排出口５を備える。ここで、商品収納室１は、商品販売装置の上方に位置する。スパイラル搬送装置２の入り口は商品収納室１に連通し、その出口は反転排出装置３を介して排出口５に連通する。スプリング攪拌装置４は、撹拌端が商品収納室１内に位置し、且つ、スプリング攪拌装置４は、反転排出装置３に連動する。
【００３１】
具体的には、商品収納室１は、商品販売装置の上端に位置して商品を収納するために用いられる。また、商品収納室１の頂端には、一端が商品販売装置の外側に連通して他端が商品収納室１に連通する商品補充チャンネル１１が接続され、商品収納室１内の商品が不足している場合、商品補充チャンネル１１を介して商品収納室１内に商品を補充するために用いられる。スパイラル搬送装置２は、商品収納室１の下方に設置され、スパイラル搬送装置２の搬送通路は、スパイラル搬送通路であり、垂直に設置された搬送通路に比べて、商品の搬送はより安定している。商品収納室１内の商品は、自身の重力の作用でスパイラル搬送装置２の入り口から連続的に入り、次にスパイラル搬送通路を介して反転排出装置３に搬送される。スパイラル搬送装置２の搬送通路の断面寸法は、搬送通路の横断面で１つの商品しか収容できないようにスパイラル搬送装置合理的に設計され、それにより、商品の順次搬送が実現できる。反転排出装置３は、スパイラル搬送装置２の出口を閉鎖して商品の排出を防止し、排出装置を反転可能に設置することにより、反転排出装置３がいずれの回転角度でもスパイラル搬送装置２の出口に位置してそれを閉鎖することを実現する。また、反転排出装置３の商品収容用の排出構造を、ボウル状、半円柱状のケースなどのように合理的に設置することができ、１つの商品しかを収容できないようにすればよく、排出構造は、反転排出装置３の反転により、これに伴って反転して商品を排出口５に卸し、最終的に商品販売装置を排出する。
【００３２】
本発明の商品販売装置は、その内部のスパイラル搬送装置２と反転排出装置３の設置及びスプリング攪拌装置４と反転排出装置３との連動により、商品販売装置の内部構造を簡略化させ、さらに商品販売装置の装置故障率を顕著に低減させる。且つ、生産コスト及び運営コストがいずれも低くなる。
【００３３】
本発明の商品販売装置の上記実施例では、図９に示すように、反転排出装置３の構造が具体的に設計されており、反転排出装置３は、排出回転軸３１及び排出ポケット３２を備える。ここで、排出ポケット３２は、両端にそれぞれ排出回転軸３１が取り付けられ、且つ、排出回転軸３１を介してスパイラル搬送装置２の出口側壁に回転可能に接続される。排出ポケット３２は、回転してスパイラル式排出装置の出口を閉鎖して商品を収容し、又は、排出ポケット３２は、回転してスパイラル式排出装置の出口を閉鎖して商品を排出する。
【００３４】
具体的には、排出ポケット３２は、ボウル状であり、その内部に１つの商品を収容することができる。排出ポケット３２の開口が上向きである場合、スパイラル搬送装置２の出口での商品が排出ポケット３２に直接落下し、且つ排出ポケット３２の回転に伴って排出ポケット３２内の商品が排出口５から卸され、商品の排出を実現する。また、排出ポケット３２は、反転中に常にスパイラル搬送装置２の出口に位置し、排出口５への商品の落下を干渉する。すなわち、本発明の商品販売装置の排出ポケット３２は、スパイラル搬送装置２の出口を閉鎖する一方、商品を１つずつ送り出すことを実現し、構造がシンプルで工夫が凝らされており、実用性が高い。
【００３５】
さらに、図８、図９、図１０に示すように、スプリング攪拌装置４は、撹拌軸４１及び複数の撹拌スプリング４２を備える。ここで、撹拌軸４１は、スパイラル搬送装置２を垂直に回転可能に貫通し、且つ撹拌軸４１の第１端は、商品収納室１の下端の中央部に位置する。複数の撹拌スプリング４２の第１端は、回り込むように撹拌軸４１の第１端に固定接続され、複数の撹拌スプリング４２の第２端は、商品収納室１内に水平又は上向きに傾斜して延びている。撹拌軸４１の第２端と排出ポケット３２の内側の排出回転軸３１とは、傘歯車を介して駆動接続される。
【００３６】
具体的には、撹拌軸４１は、商品販売装置の内部の中央位置に位置し、複数の撹拌スプリング４２は、撹拌軸４１を中心として均一に配置され、すなわち、隣接する撹拌スプリング４２の間の夾角が同じであり、それにより商品収納室１内の商品が十分に撹拌されることを実現する。撹拌軸４１の第１端は、撹拌軸４１の頂端であり、撹拌軸４１の第１端には、接続盤４１１が接続され、接続盤４１１の側面の周囲には、撹拌スプリング４２に挿入して接続するための接続柱４１２が均一に配置され、すなわち、接続柱４１２が撹拌スプリング４２の軸線に沿って撹拌スプリング４２の第１端に挿入され、撹拌スプリング４２の撹拌軸４１の端部での固定接続を実現する。撹拌スプリング４２とスパイラル搬送装置２との間には、商品の高さの１／３−２／３である一定の距離を有し、撹拌スプリング４２は、水平に設置されてもよく、僅かに５°−３０°で上方へ傾斜してもよく、それにより、商品収納室１の底部で商品をより十分に撹拌して商品がスパイラル搬送装置２に入る時に詰まりを発生する現象を防止することができる。また、撹拌により商品がランダムに排出されるような視覚効果を購入者に与えることができる。
【００３７】
さらに、図６、図９に示すように、排出ポケット３２の外側の排出回転軸３１の端部は、ノブ装置６に接続され、それによりノブ装置６によって商品を排出するか否かを制御することができる。排出ポケット３２の内側の排出回転軸３１の端部は、撹拌軸４１の第２端に接続され、それにより反転排出装置３とスプリング攪拌装置４との連動を実現する。すなわち、購入者が商品を購入するためにノブを回転する場合のみ、反転排出装置３は、反転して商品を送り出し、同時に、スプリング攪拌装置４は、商品を撹拌してランダムに排出されるような視覚効果を消費者に与える。
【００３８】
より具体的には、図９に示すように、ノブ装置６は、上下に設置された噛合歯車を介して排出ポケット３２の外側の排出回転軸の端部に接続される。
【００３９】
または、図４、図５に示すように、ノブ装置６には、第１突合せ盤８１が取り付けられ、排出ポケット３２の外側の排出回転軸の端部には、第２突合せ盤８２が取り付けられる。ここで、第１突合せ盤８１の第２突合せ盤８２に向かっている端面には、接続リブが設置される。第２突合せ盤８２の第１突合せ盤８１に向かっている端面には、接続凹溝が設置される。接続リブが接続凹溝内に嵌め込まれて第１突合せ盤８１と第２突合せ盤８２が接続される。
【００４０】
本発明の商品販売装置の上記実施例では、図６、図７、図８に示すように、スパイラル搬送装置２について別個の構造設計が行われ、スパイラル搬送装置２は、被覆筒体２１及びスパイラル搬送エレベータ２２を備える。ここで、被覆筒体２１は、スパイラル搬送エレベータ２２を被覆してスパイラル搬送通路を構成する。被覆筒体２１の頂端は、商品収納室１に連通するように開放している。
【００４１】
具体的には、被覆筒体２１は、円筒状の筒体構造であり、その内部にはスパイラル搬送エレベータ２２が設置され、それによって被覆筒体２１は、スパイラル搬送エレベータ２２を被覆してスパイラル搬送通路を構成し、さらに、商品が自身の重力の作用で商品収納室１から螺旋軌跡に沿って反転排出装置３の排出ポケット３２内に移動し、貨物の搬送が安定している。スパイラル搬送エレベータ２２の中心軸の位置には、スプリング攪拌装置４の撹拌軸４１が回転可能に貫通するための中空軸２２１が設置される。スパイラル搬送エレベータ２２は、スパイラル搬送エレベータ２２の被覆筒体２１内での固定を実現するように、被覆筒体２１の内壁にボルトで固定接続された接続側壁２２２を設置してもよい。
【００４２】
さらに、図７に示すように、被覆筒体２１の頂端の縁部は、外へ折られて水平に延設してフランジ２３を形成し、且つ、フランジ２３が商品販売装置のハウジング７の内側壁に延びて商品収納室１の底端を閉鎖し、商品がスパイラル搬送装置２を通過せずに商品販売装置の上方から下方に落下することを回避し、同時に、被覆筒体２１は、フランジ２３を介して商品販売装置のハウジング７の内壁に接続され、商品販売装置内の固定を実現する。
【００４３】
さらに、被覆筒体２１の頂端とフランジ２３との接合部には、テーパ斜面２４が形成され、さらに被覆筒体２１の頂端にはホーン状開口が形成され、商品の進入を容易にする。
【００４４】
さらに、被覆筒体２１の頂端には、テーパバッフル２５が接続され、テーパバッフル２５の底端は、被覆筒体２１の頂端に連通する。
【００４５】
具体的には、商品販売装置のハウジング７は、角型のケーシングであるが、被覆筒体２１は、円筒状の筒体であり且つ頂端の周囲にフランジ２３があり、そして商品を搬送できる前提で、スパイラル搬送装置２の使用材料を減少させるため、被覆筒体２１の本体と商品販売装置のハウジング７の内壁との間には一定の距離があり、且つフランジ２３が水平に延びると、商品がフランジ２３の上方に極めて蓄積しやすい。従って、被覆筒体２１の頂端であってフランジ２３の上方には、上記テーパバッフル２５が設置されることで、被覆筒体２１の頂端のホーン状の開口をより大きくし、商品の蓄積を効果的に回避する。テーパバッフル２５の底端が円形の開口であり且つ直径がテーパ斜面２４の頂端の直径と同じであり、それによって両者のスムーズな移行接続を実現する。また、テーパバッフル２５の頂端は、商品販売装置のハウジング７の内側壁に密着している。テーパバッフル２５の側壁の周囲は、ボルトでフランジ２３に固定接続される。
【００４６】
さらに、図６に示すように、排出口５の終端には、ドアシル５１が設置される。具体的には、排出口５の終端の底辺が排出口５の内部の底面の高さよりも高くなるように一定の高さで上へ折られることにより、上記ドアシル５１を形成し、それにより、商品が直接転がって落下することを防止できる。また、同時に排出口５のドアシル５１に接近する底面が内へ窪んで商品を収容するための凹溝を形成することにより、ドアシル５１の高さを相対的に高くすることもできる。
【００４７】
さらに、商品販売装置が販売する商品は、球状、卵状、又は楕円状である。さらに、本発明の商品販売装置は、カプセルトイ販売機である。
【００４８】
本発明の商品販売装置は、コイン投入と、微信、アリペイを用いたスキャン支払い、または関連ＡＰＰなどをダウンロードすることによって実施できるオンライン支払いとの２種の支払い方式があり、いずれも本発明の保護範囲に属する。また、本発明の商品販売装置には、在庫数監視モジュールが設置され、具体的には、排出口５に赤外センサが設置され、商品が通過した時に、赤外センサは、信号を収集してバックグラウンドＡＰＰに伝送してカウントし、それにより在庫数のオンライン監視を実現し、在庫数が不足している場合、商品を補充するよう、スタッフにタイムリーに通知する。また、赤外センサは、ノブの回転による制御を実現することもでき、購入者が支払いに成功した後、ノブを回転してアンロックし、商品を回転させて送り出すと同時に、赤外センサによって商品が排出されたか否かを監視し、排出後、ノブをロックさせるように制御し、再度の回転が不可となり、繰り返し排出することを回避する。さらに、購入者が支払いに成功してから一定の時間経過後にノブを回転せず、又は商品の排出に故障が発生した（例えば、在庫数が０である）場合、ノブは、自動的にロックし、お金を支払い口座に戻し（コイン支払いの場合は、返金できない）、時間の設定は、３０ｓ、６０ｓなどであってもよく、本発明では、具体的に限定しない。商品販売装置のハウジング７の外側面には、購入するように操作者に指示するための操作指示パネルが設置されてもよく、操作指示パネルは、様々なタイプの表示画面であってもよく、各種の広告、プロモーションビデオを同時に再生することもできる。勿論、各種の身長の購入者が容易に購入できるために、本発明の商品販売装置は、単層、二層、三層などのように設置されてもよく、いずれも本発明の保護範囲に属する。
【００４９】
なお、「外側」、「内側」、「第１」、「第２」などは、説明の便宜上のために過ぎず、本発明の主旨を制限するものとして理解すべきではない。
【００５０】
以上、具体的な実施例にて本発明をさらに説明したが、なお、ここでの具体的な説明は、本発明に係る主旨及び範囲を限定するものではなく、当業者であれば、本明細書を読んだ後に上記実施例に対して行われる様々な修正は、すべて本発明の保護範囲に属する。
【符号の説明】
【００５１】
１−商品収納室、１１−商品補充チャンネル、２−スパイラル搬送装置、２１−被覆筒体、２２−スパイラル搬送エレベータ、２２１−中空軸、２２２−接続側壁、２３−フランジ、２４−テーパ斜面、２５−テーパバッフル、３−反転排出装置、３１−排出回転軸、３２−排出ポケット、４−スプリング攪拌装置、４１−撹拌軸、４１１−接続盤、４１２−接続柱、４２−撹拌スプリング、５−排出口、５１−ドアシル、６−ノブ装置、７−商品販売装置のハウジング、８１−第１突合せ盤、８２−第２突合せ盤。
【図１】
2020184293.tif 000003
【図２】
2020184293.tif 000004
【図３】
2020184293.tif 000005
【図４】
2020184293.tif 000006
【図５】
2020184293.tif 000007
【図６】
2020184293.tif 000008
【図７】
2020184293.tif 000009
【図８】
2020184293.tif 000010
【図９】
2020184293.tif 000011
【図１０】
2020184293.tif 000012
【図１１】
2020184293.tif 000013